(57)【要約】【課題】  需要者が自ら容易に組み立てることができ、組立対象の机、椅子など家具の種類に応じて所要の部品をキットとして需要に応ずることができる合板製組立家具キットを提供する。【解決手段】  下記のＡ、Ｂ及びＣの家具部材群の各々から当該家具の種類に応じた１以上の家具部材を選択し組み合わせてなる組立家具キット。    (部材群Ａ)大きさの異なる複数の合板製の座板部材からなる部材群    (部材群Ｂ)１種の層数の合板を一定幅に裁断し、所望の各長さに切断して取り揃えた              長さの異なる複数の柱用部材からなる部材群、    (部材群Ｃ)１種の層数の合板を一定幅に裁断し、所望の各長さに切断して取り揃えた              長さの異なる複数の側板用部材からなる部材群【選択図】    図１
2008125569.tif 000002
【特許請求の範囲】
【請求項１】
下記のＡ、Ｂ及びＣの家具部材群の各々から当該家具の種類に応じた１以上の家具部材を選択し組み合わせてなる組立家具キット。
(部材群Ａ)大きさの異なる複数の合板製の座板部材からなる部材群
(部材群Ｂ)１種の層数の合板を一定幅に裁断し、所望の各長さに切断して取り揃えた
長さの異なる複数の柱用部材からなる部材群、
(部材群Ｃ)１種の層数の合板を一定幅に裁断し、所望の各長さに切断して取り揃えた
長さの異なる複数の側板用部材からなる部材群
【請求項２】
家具が踏み台、角椅子又はもたれ椅子である請求項１の組立家具キット。
【請求項３】
(ｉ)下記のＡ、Ｂ及びＣの家具部材群を準備し
(Ａ)大きさの異なる複数の合板製の座板部材からなる部材群
(Ｂ)１種の層数の合板を一定幅に裁断し、所望の各長さに切断して取り揃えた
長さの異なる複数の柱用部材からなる部材群、
(Ｃ)１種の層数の合板を一定幅に裁断し、所望の各長さに切断して取り揃えた
長さの異なる複数の側板用部材からなる部材群
(ii)前記部材群Ａ〜Ｃの各々から家具の種類に応じた少なくとも１の家具部材を選択し、
(iii)該部材を組み合わせ、複数種類のキットを調製する
ことを特徴とする組立家具キットの製造法。
【発明の詳細な説明】
【技術分野】
【０００１】
本発明は需要者が自ら組み立てることのできる組立家具キットに関する。本発明の組立家具キットは各部品が標準化されており、組立の対象となる各種の踏み台、椅子など家具の種類に応じて所要の部品をキットとして梱包し需要に応ずることができる。
【背景技術】
【０００２】
厚紙やプラスチック板など板状体を折り曲げ組み立てる組立家具が従来知られており、例えば特許文献１には天板四隅の下面に脚を取り付けた組立机が開示されている。また、組立前の木製部材を取り揃え、梱包し購入者が自身で組み立てる木製組立家具も知られている。
【０００３】
【特許文献１】実開平５−７４３２６号公報
【特許文献２】特開２００６−６８３９２号公報
【発明の開示】
【発明が解決しようとする課題】
【０００４】
プラスチックや厚紙の組立家具は材料の特質から部材の変形、種類など形状の自由度には優れているものの、使用者に対して或いは景観に対して素材の馴染みが良いとは言えない。厚紙を素材とした場合は庭など戸外での使用における耐久性に乏しい。また、木製の組立家具は机、椅子、棚など様々な製品が知られているが、その製品の種類により様々な寸法の部材を必要数量取り揃えなければならず、部品の準備、管理が極めて煩雑である。
【０００５】
本発明の目的は需要者が自ら容易に組み立てることができ、組立対象の家具の種類に応じて予め準備した部材の中から所要の部材をキットとして梱包して需要に応ずることができる合板製組立家具キットを提供することにある。
【課題を解決するための手段】
【０００６】
本発明は、下記のＡ、Ｂ及びＣの家具部材群の各々から当該家具の種類に応じた１以上の家具部材を選択し組み合わせてなる組立家具キット。
(部材群Ａ)大きさの異なる複数の合板製の座板部材からなる部材群
(部材群Ｂ)１種の層数の合板を一定幅に裁断し、所望の各長さに切断して取り揃えた
長さの異なる複数の柱用部材からなる部材群、
(部材群Ｃ)１種の層数の合板を一定幅に裁断し、所望の各長さに切断して取り揃えた
長さの異なる複数の側板用部材からなる部材群
【０００７】
本発明のキットにおいて、組み立てる家具は踏み台、角椅子又はもたれ椅子などが好ましい。また、本発明は、
(ｉ)下記のＡ、Ｂ及びＣの家具部材群を準備し
(Ａ)大きさの異なる複数の合板製の座板部材からなる部材群
(Ｂ)１種の層数の合板を一定幅に裁断し、所望の各長さに切断して取り揃えた
長さの異なる複数の柱用部材からなる部材群、
(Ｃ)１種の層数の合板を一定幅に裁断し、所望の各長さに切断して取り揃えた
長さの異なる複数の側板用部材からなる部材群
(ii)前記部材群Ａ〜Ｃの各々から家具の種類に応じた少なくとも１の家具部材を選択し、
(iii)該部材を組み合わせ、複数種類のキットを調製する
ことを特徴とする組立家具キットの製造法を提供するものである。
【発明の効果】
【０００８】
本発明によれば、層数など規格化された木質材料である合板を用いて、異なる種類の家具を通じて各部品が標準化されており、組立対象の各種の机、椅子など家具に応じて所要の部品をキットとして梱包製品とすることができる。本発明のキットは需要者が自ら組み立てることができる。
【発明を実施するための最良の形態】
【０００９】
以下に本発明を実施例に基づき詳細に説明する。
図１は本発明の組立家具キットにより組み立てた踏み台を示す斜視図である。踏み台は二段よりなり、収納時小さな一段目は二段目の内部に収容される。図２は本発明の家具キットにより組み立てた角椅子を示す斜視図である。図３は本発明の家具キットにより組み立てた背もたれ付椅子(子供用)を示す斜視図である。
【００１０】
図１において、本発明の組立家具キットにより組み立てた踏み台１は、１段目１１と２段目２１よりなる。１段目１１は、１枚の座板１２、４本の柱１３、２種の各４本の側板１４，１５より構成される。２段目２１は同様に１枚の座板２２、４本の柱２３及び長さの異なる側板、すなわち、最も長い側板２４を５本、ついで長い側板２５を６本、１段目の台のガイドをなす最も短い２本の側板２６から構成される。
【００１１】
図２の角椅子３は、１枚の座板３２、４本の柱３３、長さの異なる２種の各４本の側板３４，３５より構成される。
図３のもたれ椅子４は、１枚の座板４２、長さの異なる２種の各２本の柱４３、４４、長さの異なる２種の各４本の側板４５、４６及び１本の笠木４７より構成される。
上記例示の種類の異なる組立家具は、下記の表１に示すＡ〜Ｃの家具部材群より選択し組み合わせた合板製の部材より組み立てられる。
【００１２】
【表１】
2008125569.tif 000003
【００１３】
(キットの調製)
まず、前記表１に示す家具部材群を調製する。本発明の部材はすべて合板より製造される。合板は規格が明確であり、所定の層数の合板を一定の幅に裁断してＡ〜Ｃの各群の家具部材の素材とする。例えば部材群Ｂ(柱)では、厚さ３５ｍｍの合板を幅３５ｍｍに裁断し、これを長さ２２０，２１０，２２０，３５０，４２０ｍｍに切断する。
同様に部材群Ｃ(側板)では、厚さ１２ｍｍの合板を幅５５ｍｍに裁断し、これを長さ１８５，２２０，２２５，２４０，２５５，２７５、３４０ｍｍに切断する。
座板は厚さ１２ｍｍの合板で幅、長さの異なる４種の座板を準備する。
【００１４】
このようにして組立家具用の部材を調製し、
(部材群Ａ)大きさの異なる複数の合板製の座板部材からなる部材群
(部材群Ｂ)１種の層数の合板を一定幅に裁断し、所望の各長さに切断して取り揃えた
長さの異なる複数の柱用部材からなる部材群、
(部材群Ｃ)１種の層数の合板を一定幅に裁断し、所望の各長さに切断して取り揃えた
長さの異なる複数の側板用部材からなる部材群
の各群からなる合板製の家具部材群を準備する。
このように準備したＡ、Ｂ及びＣの家具部材群の各々から家具の種類に応じて１以上の部材を選択し、それらの部材を組み合わせる。
このようにして表１の部材を組み合わせ、踏み台、角椅子又はもたれ椅子など複数種類のキットを調製することができる。
【００１５】
本発明のキットより組み立てられる家具としては踏み台、角椅子又はもたれ椅子などの組立家具キットを調製することができる。このように本発明では異種の組立家具キットを表１に示す家具部材群からすべて調製することができる。
【００１６】
本発明の家具キットには、前記の合板部材のほか、組立に必要な釘、木工用接着剤などを同梱するほか、簡単な工具などを同梱してもよい。
【産業上の利用可能性】
【００１７】
本発明の組立家具キットは規格化された木質材料である合板を用いて、異なる種類の家具を通じて各部品が標準化されており、踏み台、椅子など各種の組立家具を安価に提供する。本発明のキットは需要者が自ら組み立てることができる。
【図面の簡単な説明】
【００１８】
【図１】本発明の組立家具キット(踏み台)の組み立てたところを示す斜視図である。
【図２】本発明の組立家具キット(角椅子)の組み立てたところを示す斜視図である。
【図３】本発明の組立家具キット(子供用背もたれ椅子)の組み立てたところを示す斜視図である。
【符号の説明】
【００１９】
１  踏み台        ３  角椅子      ４  もたれ椅子
１１  第１段        １２  座板      １３  柱        １４  側板        １５  側板
２１  第２段        ２２  座板      ２３  柱        ２４  側板        ２５  側板
２６  側板（ガイド）                ３２  座板      ３３  柱          ３４  側板
３５  側板          ４２  座板      ４３  柱        ４４  柱          ４５  側板
４６  側板          ４７  笠木
【図１】
2008125569.tif 000004
【図２】
2008125569.tif 000005
【図３】
2008125569.tif 000006